(57)【要約】【課題】  ガングリップにトリガスイッチが設けられたガンタイプの光学情報読取装置を格納するものであって、格納時にトリガスイッチがオンしてしまうこと防止する。【解決手段】  本発明の光学情報読取装置用ホルダー１は、ガングリップにトリガスイッチが設けられたガンタイプの光学情報読取装置を格納するものにおいて、光学情報読取装置の装置本体を格納するものであって、一端部に装置本体を挿入するための挿入口部５を有するホルダー本体２を備え、このホルダー本体２の壁部８に、挿入口部５に連通すると共にガングリップを挿通させるように開口部９を形成し、ホルダー本体２の壁部８における開口部９の縁部にトリガスイッチが操作されないように保護する保護部１０を設けるように構成したものである。【選択図】  図１
2005078567.tif 000002
【特許請求の範囲】
【請求項１】
ガングリップにトリガスイッチが設けられたガンタイプの光学情報読取装置を格納する光学情報読取装置用ホルダーにおいて、
前記光学情報読取装置の装置本体を格納するものであって、一端部に前記装置本体を挿入するための挿入口部を有するホルダー本体と、
このホルダー本体の壁部に、前記挿入口部に連通すると共に、前記ガングリップを挿通させるように形成された開口部と、
前記ホルダー本体の壁部における前記開口部の縁部に設けられ、前記トリガスイッチが操作されないように保護する保護部とを備えたことを特徴とする光学情報読取装置用ホルダー。
【請求項２】
前記保護部は、前記トリガスイッチの操作面部に対向するように突設された規制壁部を備えていることを特徴とする請求項１記載の光学情報読取装置用ホルダー。
【請求項３】
前記トリガスイッチの操作面部と前記規制壁部との間の隙間は、指が入らない程度の隙間であることを特徴とする請求項２記載の光学情報読取装置用ホルダー。
【請求項４】
前記保護部は、前記トリガスイッチの両側面部に対向するように突設された一対の側壁部を備えていることを特徴とする請求項２記載の光学情報読取装置用ホルダー。
【請求項５】
前記一対の側壁部の高さ寸法は、前記トリガスイッチの高さ寸法よりも高くなるように構成されていることを特徴とする請求項４記載の光学情報読取装置用ホルダー。
【請求項６】
前記保護部は、前記トリガスイッチの下面部を覆う下壁部を備えていることを特徴とする請求項５記載の光学情報読取装置用ホルダー。
【請求項７】
前記ホルダー本体には、作業者に前記ホルダー本体を装着するための装着部材が設けられていることを特徴とする請求項１ないし６のいずれかに記載の光学情報読取装置用ホルダー。
【請求項８】
前記装着部材は、前記ホルダー本体のうちの前記保護部が設けられていない側面部に着脱可能に設けられていることを特徴とする請求項７記載の光学情報読取装置用ホルダー。
【請求項９】
前記装着部材は、作業者の服等に引っ掛けるための引っ掛け部であることを特徴とする請求項８記載の光学情報読取装置用ホルダー。
【請求項１０】
前記装着部材は、マジックテープであることを特徴とする請求項８記載の光学情報読取装置用ホルダー。
【請求項１１】
前記装着部材は、ベルトを通す孔を有する部材であることを特徴とする請求項８記載の光学情報読取装置用ホルダー。
【発明の詳細な説明】
【技術分野】
【０００１】
本発明は、ガングリップにトリガスイッチが設けられたガンタイプの光学情報読取装置を格納する光学情報読取装置用ホルダーに関する。
【背景技術】
【０００２】
光学情報読取装置である例えばバーコードリーダ等を格納するホルダーとして、特許文献１に記載された構成が知られている。この構成では、作業者が腰に装着するベルトにポケットを設け、このポケットにバーコードリーダ等のハンディ端末を格納するようにしている。
【特許文献１】特開平７ー９８７１６号公報
【発明の開示】
【発明が解決しようとする課題】
【０００３】
しかし、ガングリップにトリガスイッチが設けられたガンタイプの光学情報読取装置を上記公報の構成のベルトのポケットに格納した場合、ガングリップ及びトリガスイッチがポケットの外に出てしまうことから、トリガスイッチに対して何らかの外力が作用することがある。このような場合、トリガスイッチがオンしてしまうことから、光学情報読取装置が誤動作してしまうという問題点があった。このような場合、無駄な電力を消費したり、作業者が意図しない光学情報（コード）を読み取ったりするという欠点があった。
【０００４】
そこで、本発明の目的は、ガングリップにトリガスイッチが設けられたガンタイプの光学情報読取装置を格納するものであって、格納時にトリガスイッチがオンしてしまうこと防止できる光学情報読取装置用ホルダーを提供するにある。
【課題を解決するための手段】
【０００５】
本発明の光学情報読取装置用ホルダーは、ガングリップにトリガスイッチが設けられたガンタイプの光学情報読取装置を格納するものにおいて、前記光学情報読取装置の装置本体を格納するものであって、一端部に前記装置本体を挿入するための挿入口部を有するホルダー本体を備え、このホルダー本体の壁部に、前記挿入口部に連通すると共に前記ガングリップを挿通させるように開口部を形成し、前記ホルダー本体の壁部における前記開口部の縁部に前記トリガスイッチが操作されないように保護する保護部を設けるように構成したものである。この構成によれば、保護部によりトリガスイッチが操作されないように保護されるから、格納時にトリガスイッチがオンしてしまうこと防止できる。
【０００６】
上記構成の場合、前記保護部は、前記トリガスイッチの操作面部に対向するように突設された規制壁部を備えていることが好ましい。更に、前記トリガスイッチの操作面部と前記規制壁部との間の隙間は、指が入らない程度の隙間であることが良い構成である。また、前記保護部は、前記トリガスイッチの両側面部に対向するように突設された一対の側壁部を備えていることが好ましい構成である。更に、前記一対の側壁部の高さ寸法は、前記トリガスイッチの高さ寸法よりも高くなるように構成されていることがより一層良い。
【０００７】
また、前記保護部は、前記トリガスイッチの下面部を覆う下壁部を備えていることが好ましい構成である。更にまた、前記ホルダー本体に、作業者に前記ホルダー本体を装着するための装着部材を設けることが良い構成である。そして、この装着部材は、前記ホルダー本体のうちの前記保護部が設けられていない側面部に着脱可能に設けられていることが好ましい。更に、前記装着部材は、作業者の服等に引っ掛けるための引っ掛け部であることがより一層好ましい。また、前記装着部材は、マジックテープであることも良い。更にまた、前記装着部材は、ベルトを通す孔を有する部材であることが一層好ましい構成である。
【発明を実施するための最良の形態】
【０００８】
以下、本発明をバーコードリーダ用のホルダーに適用した第１の実施例について、図１ないし図４を参照しながら説明する。まず、図１及び図２は、本実施例のバーコードリーダ用のホルダー１の全体構成を示す斜視図である。尚、図１は上記ホルダー１の上下を逆にした斜視図である。
これら図１及び図２に示すように、本実施例のホルダー１のホルダー本体２は、矩形箱状をなすように構成されており、このホルダー本体２の一端部にはバーコードリーダ３（図４参照）の装置本体４を挿入するための挿入口部５が形成されている。
【０００９】
ここで、上記バーコードリーダ３について、図４を参照して簡単に説明する。バーコードリーダ３は、矩形箱状をなす装置本体４と、この装置本体４の下面部に下方に向けて突設されたガングリップ６とを備えて構成されている。上記ガングリップ６の図４中の右側面部の上部には、トリガスイッチ７が設けられている。即ち、上記バーコードリーダ３は、いわゆるガンタイプの光学情報読取装置である。
【００１０】
また、ホルダー本体２の下壁部８には、矩形状の開口部９が前記挿入口部５に連通すると共に上記バーコードリーダ３のガングリップ６を挿通させるように（図３参照）形成されている。上記下壁部８における開口部９の縁部には、外力等に対してトリガスイッチ７が操作されないように保護する保護部１０が設けられている。
この保護部１０は、トリガスイッチ７の操作面部７ａに対向するように突設された規制壁部１１と、トリガスイッチ７の両側面部に対向するように突設された一対の側壁部１２、１３とを備えている。上記規制壁部１１とトリガスイッチ７の操作面部７ａとの間の隙間は、指が入らない程度の隙間となるように構成されている。また、規制壁部１１及び一対の側壁部１２、１３の各高さ寸法（図１及び図３中の上下方向の寸法）は、同じであり、トリガスイッチ７の高さ寸法（図３中の上下方向の寸法）よりも高くなるように構成されている。
【００１１】
また、図２に示すように、ホルダー本体２の上壁部１４における挿入口部５側の端部には、作業者にホルダー本体２を装着するための装着部材１５が着脱可能に設けられている。この装着部材１５は、断面コ字状の部材であり、両端部１５ａ、１５ｂの先端に設けられた係合爪（図示しない）を、ホルダー本体２の上壁部１４に形成された係合孔（図示しない）に着脱可能に係合させることにより、着脱可能な構成となっている。
【００１２】
そして、装着部材１５をホルダー本体２に取り付けた状態で、装着部材１５とホルダー本体２の上壁部１４との間に形成される孔１６に図示しないベルト（作業者が使用可能なベルト）を通すことが可能なように構成されている。
尚、ホルダー本体２の側壁部１７、１８にも、係合孔１７ａ、１７ｂ、１８ａ、１８ｂが形成されており、これにより、装着部材１５は、ホルダー本体２の側壁部１７、１８に対しても着脱可能に取り付けられるように構成されている。即ち、装着部材１５は、ホルダー本体２のうちの保護部１０が設けられていない側面部に着脱可能に取り付けられる構成となっている。
【００１３】
このような構成の本実施例によれば、バーコードリーダ３を格納するホルダー１のホルダー本体２に保護部１０を設けたので、バーコードリーダ３の装置本体４をホルダー本体２の内部に挿入して格納すると、バーコードリーダ３のガングリップ６はホルダー本体２の開口部９を挿通すると共に、ガングリップ６に設けられたトリガスイッチ７は保護部１０で囲まれるようになる。これによって、何らかの外力（特には、トリガスイッチ７の操作方向の力）が作用しても、保護部１０によりトリガスイッチ７が操作されないように保護されるから、上記何らかの外力によりトリガスイッチ７がオンしてしまうこと確実に防止できる。
【００１４】
特に、上記実施例の場合、保護部１０を、規制壁部１１と側壁部１２、１３とから構成したので、これら壁部１１、１２、１３によりトリガスイッチ７を囲むことができるから、トリガスイッチ７がオンしてしまうことより一層確実に防止できる。更に、上記実施例では、規制壁部１１とトリガスイッチ７の操作面部７ａとの間の隙間を、指が入らない程度の隙間としたので、指等により誤ってトリガスイッチ７を操作してしまうことを確実に防止できる。
【００１５】
また、上記実施例においては、規制壁部１１、側壁部１２、１３の各高さ寸法（図１及び図３中の上下方向の寸法）を、トリガスイッチ７の高さ寸法（図３中の上下方向の寸法）よりも高くするように構成したので、外力等によりトリガスイッチ７が操作されてしまうことをより一層防止できる。
更に、上記実施例においては、装着部材１５をホルダー本体２に着脱可能に設けたので、この装着部材１５とホルダー本体２の上壁部１４との間に形成される孔１６にベルトを通すことにより、ホルダー１を作業者に簡単に装着することができる。また、装着部材１５をホルダー本体２の３つの壁部１４、１７、１８に着脱可能に設けたので、装着の自由度がより一層高くなり、作業者にとって使い勝手が更に良くなる。尚、装着部材１５をホルダー本体２に着脱可能に設けたが、これに代えて、装着部材をホルダー本体に固定的に設ける（例えば一体成形や接着やねじ止め等によって設ける）ように構成しても良い。
【００１６】
また、上記実施例では、保護部１０を規制壁部１１と側壁部１２、１３とから構成したが、これに限られるものではなく、側壁部１２、１３を設けることをやめて、規制壁部１１だけで保護部１０を構成しても良い。この構成の場合も、規制壁部１１によりトリガスイッチ７の操作方向の外力を規制することができるから、トリガスイッチ７の誤操作をほぼ確実に防止できる。
【００１７】
更に、上記実施例においては、保護部１０を３つの壁部、即ち、規制壁部１１と側壁部１２、１３とから構成したが、これに加えて、図５に示す本発明の第２の実施例のように、トリガスイッチ７の下面部を覆う下壁部１９を設けるように構成しても良い。この第２の実施例によれば、トリガスイッチ７の誤操作をより一層確実に防止することできる。尚、上記第２の実施例において、第１の実施例と同一部分には、同一符号を付している。
【００１８】
図６は、本発明の第３の実施例を示すものである。尚、第１の実施例と同一部分には、同一符号を付している。この第３の実施例では、装着部材２０を断面Ｌ字状の部材で構成し、該装着部材２０を作業者の服等に引っ掛けるための引っ掛け部とした。具体的には、装着部材２０の一端部２０ａの先端に設けられた係合爪（図示しない）を、ホルダー本体２の上壁部１４に形成された１個の係合孔（図示しない）に係合させることにより、着脱可能な構成となっている。
【００１９】
そして、装着部材２０をホルダー本体２に取り付けた状態では、装着部材２０とホルダー本体２の上壁部１４との間の隙間に作業者の服等を引っ掛ける、即ち、作業者の服等に装着部材２０を引っ掛けることが可能なように構成されている。
尚、ホルダー本体２の側壁部１７、１８にも、各１個の係合孔１７ａ、１８ａが形成されており、これにより、装着部材２０は、ホルダー本体２の側壁部１７、１８に対しても着脱可能に取り付けることが可能なように構成されている。即ち、装着部材２０は、ホルダー本体２のうちの保護部１０が設けられていない側面部に着脱可能に取り付けられる構成となっている。
【００２０】
そして、上述した以外の第３の実施例の構成は、第１の実施例の構成と同じ構成となっている。従って、第３の実施例においても、第１の実施例とほぼ同じ作用効果を得ることができる。
図７は、本発明の第４の実施例を示すものである。尚、第１の実施例と同一部分には、同一符号を付している。この第４の実施例では、装着部材２１をマジックテープで構成し、ホルダー本体２の下壁部１４に貼り付けるように構成した。尚、ホルダー本体２の側壁部１４、１７、１８には、係合孔が形成されていない。これ以外の第４の実施例の構成は、第１の実施例の構成と同じ構成となっている。従って、上記第４の実施例においても、第１の実施例とほぼ同じ作用効果を得ることができる。
【図面の簡単な説明】
【００２１】
【図１】本発明の第１の実施例を示すホルダーの上下逆の斜視図
【図２】ホルダーの斜視図
【図３】ホルダーにバーコードリーダを格納した状態を示す側面図
【図４】バーコードリーダの斜視図
【図５】本発明の第２の実施例を示す図１相当図
【図６】本発明の第３の実施例を示す図２相当図
【図７】本発明の第４の実施例を示す図２相当図
【符号の説明】
【００２２】
図面中、１はホルダー（光学情報読取装置用ホルダー）、２はホルダー本体、３はバーコードリーダ（光学情報読取装置）、４は装置本体、５は挿入口部、６はガングリップ、７はトリガスイッチ、８は下壁部、９は開口部、１０は保護部、１１は規制壁部、１２、１３は側壁部、１４は上壁部、１５は装着部材、１６は孔、１７、１８は側壁部、１９は下壁部、２０は装着部材、２１は装着部材を示す。
【図１】
2005078567.tif 000003
【図２】
2005078567.tif 000004
【図３】
2005078567.tif 000005
【図４】
2005078567.tif 000006
【図５】
2005078567.tif 000007
【図６】
2005078567.tif 000008
【図７】
2005078567.tif 000009